(57)【要約】      （修正有）【課題】ストレインリリーフを提供しながらケーブルを終端接続することを容易にし、効率よく処理する、少なくとも１本の伝送線を有するケーブルを終端接続するための端キャップ、終端接続構造及び終端接続構造用キットを提供する。【解決手段】少なくとも１本の伝送線３０１を有するケーブル３００を終端接続するための端キャップ１００であって、端キャップ１００は、その後面１０４から前面１０５まで伝送線を案内するための少なくとも１個のリードスルー開口１０１を具備する。ケーブルの終端接続を容易にするために、端キャップ１００に後面から前面に延びる通路１０２が形成され、通路１０２は、ケーブルの補強部材３０２を収容するよう構成される。【選択図】図３
2014052628.tif 000002
【特許請求の範囲】
【請求項１】
少なくとも１本の伝送線（３０１）を有するケーブル（３００）を終端接続するための端キャップ（１００）であって、
前記端キャップの後面（１０４）から前面（１０５）まで前記少なくとも１本の伝送線を案内するための少なくとも１個のリードスルー開口（１０１）を具備する端キャップにおいて、
前記後面から前記前面まで延び、前記ケーブルの中央の補強部材（３０２）を収容するよう構成された通路（１０２）を具備することを特徴とする端キャップ。
【請求項２】
前記前面に向かって、前記リードスルー開口は、該リードスルー開口が半径方向に前記通路から離れる方向に沿って少なくとも部分的に延びるように、湾曲部（１１１）を具備することを特徴とする請求項１記載の端キャップ。
【請求項３】
前記通路は、前記補強部材を前記通路内に挿入するために、挿入方向（Ｉ）に沿って前記リードスルー開口の後ろで終端することを特徴とする請求項１又は２記載の端キャップ。
【請求項４】
前記端キャップの前記前面において、前記通路は、前記補強部材に圧着されたフェルール（１５０）を少なくとも部分的に収容するよう構成された凹部（１０６）内に導くことを特徴とする請求項１ないし３のうちいずれか１項記載の端キャップ。
【請求項５】
前記凹部は前記前面からはみ出すことを特徴とする請求項４記載の端キャップ。
【請求項６】
前記凹部は、半径方向に該凹部から離れる方向に延びる少なくとも１個の連結部（１１５ａ，１１５ｂ，１１５ｃ）により支持されることを特徴とする請求項４又は５記載の端キャップ。
【請求項７】
前記後面は、前記ケーブルの端部（３０３）を取り囲むよう構成されたリセプタクル（１０３）を具備することを特徴とする請求項１ないし６のうちいずれか１項記載の端キャップ。
【請求項８】
前記端キャップの縦方向（Ｌ100）に沿った突起内に、前記通路及び前記リセプタクルは、互いに対して同心円状に配置されることを特徴とする請求項７記載の端キャップ。
【請求項９】
前記リセプタクルは、前記ケーブルの外周（３０４）を取り囲むよう構成されたブッシュ（１３０）を具備することを特徴とする請求項７又は８記載の端キャップ。
【請求項１０】
前記ブッシュは、前記端キャップと一体に形成されることを特徴とする請求項９記載の端キャップ。
【請求項１１】
カラー（１１６）が、前記前面の周囲を囲むと共に前記前面から突出することを特徴とする請求項１ないし１０のうちいずれか１項記載の端キャップ。
【請求項１２】
前記カラーは、前記少なくとも１個のリードスルー開口の近傍に少なくとも１個の間隙（１１７）を具備することを特徴とする請求項１１記載の端キャップ。
【請求項１３】
少なくとも１本の伝送線を有するケーブルを終端接続するための終端接続構造であって、
請求項１ないし１２のうちいずれか１項に係る少なくとも１個の前記端キャップを具備し、
前記少なくとも１本の伝送線は、前記少なくとも１個のリードスルー開口を貫通し、
前記ケーブルの前記補強部材は、前記通路を貫通することを特徴とする終端接続構造。
【請求項１４】
前記前面を越えて延びる前記補強部材の外部（３０２ａ）に、フェルールが圧着されていることを特徴とする請求項１３記載の終端接続構造。
【請求項１５】
ケーブルを終端接続するための終端接続構造用キットであって、
請求項１ないし１２のうちいずれか１項に係る少なくとも１個の前記端キャップを具備することを特徴とする終端接続構造用キット。
【発明の詳細な説明】
【技術分野】
【０００１】
本発明は、少なくとも１本の伝送線に含まれる伝送ケーブルを終端接続するための端キャップに関する。この端キャップは、その後側から前側に少なくとも１本の線を案内するための少なくとも１個のリードスルー開口を具備する。
【０００２】
さらに、本発明は、少なくとも１本の伝送線に含まれる伝送ケーブルを終端接続するための終端接続構造に関する。
【０００３】
また、本発明は、光ファイバケーブルを終端接続するための終端接続構造用キットに関する。
【背景技術】
【０００４】
上述した端キャップ、終端接続構造及びキットは、従来から公知の技術である。端キャップは、例えばエンクロージャ内にケーブルの端部を取り付けること、並びに少なくとも１本の線を取り扱い及び例えば光ファイバコネクタを具備するように少なくとも１本の線の案内を容易にする終端接続部材を具備する。
【０００５】
例えば、ケーブルは光ファイバケーブルであり、伝送線は光ファイバである。光ファイバは、いくつかの個別ファイバを有するファイバ部材からなるユニットとして延びる。これらのファイバは、いくつかのファイバを具備する複数の束に束ねられる。このような単数の束及び複数の束は、ケーブル内に収容される。ファイバ自体は長く且つ細く、それ故、例えばスナップ係合及び亀裂により損傷を受け易いので、ファイバ自体に作用する応力を無くすためにストレインリリーフを提供することが望ましい。
【発明の概要】
【発明が解決しようとする課題】
【０００６】
従来技術によれば、ストレインリリーフは、ファイバ又はファイバ束等の各線を囲むケブラー（登録商標）の層が端キャップ又は終端接続部材に取り付けられることで一般に実現される。或いは、ケーブルの中心を延びるロッドの形態の中心補強部材を有するケーブルが使用される。その場合、ケブラー層の代わりに、補強部材が終端接続部材又はエンクロージャに固定される。さらに、線は、例えばアダプタ等の追加手段の補助により、エンクロージャ内に取り付けなければならない。換言すると、従来技術のケーブルを終端接続するためには独立した２工程が必要である。このため、線又は光ファイバを囲むケブラー層と、補強部材としての中心ロッドとの双方を使用する際に、ストレインリリーフが得られるようにケーブルを終端接続することは面倒で時間がかかる作業である。
【０００７】
上述した従来技術の光ファイバケーブルの終端接続から生ずる不都合に鑑み、本発明は、ストレインリリーフを提供しながら光ファイバケーブルを終端接続することを容易にし、効率よく処理することを目的とする。
【課題を解決するための手段】
【０００８】
この目的は、以下の構成を有する本発明で達成する。すなわち、本発明に係る端キャップには、その後側から前側に延びる通路が設けられ、通路は、ケーブルの中心補強部材を収容するよう構成される。換言すると、端キャップは終端接続部材から構成され、すなわち、終端接続部材は端キャップとして形成され、通路は、リードスルー開口に対して端キャップの少なくとも半径方向にずれた溝を提供する。
【０００９】
最初に述べた終端接続構造に関して、本発明の目的は、本発明に係る少なくとも１個の端キャップがケーブルに取り付けられ、少なくとも１本の線がリードスルー開口を貫通し、ケーブルの補強部材が端キャップの通路を貫通することで達成される。
【００１０】
最初に述べたキットに関して、本発明の目的は、キットが本発明に係る少なくとも１個の端キャップを具備することで達成される。
【００１１】
これらの解決手段は、一方で端キャップがケーブルの一部及び線を収容し保護し、他方でストレインリリーフが得られるように補強部材を収容する点で、従来技術を凌駕する明白な利点を有する。ガキは、線及び補強部材をそれぞれリードスルー開口及び通路を通って導きながら、ケーブル上に端キャップを摺動させることによりケーブル及び補強部材に容易に取り付けられる。次に、端キャップは、エンクロージャに固定できるので、単一工程でエンクロージャに補強部材及び線を実装するためのアダプタとして機能する。
【００１２】
さらに、目的に対する本発明の解決手段により、ケーブルの端部を固定するため及び保護するための追加のケーブル外被及びオーバモールドを省略できる。端キャップを固定するため及びストレインリリーフを提供するための保持力は、前面から突出する補強部材の部分から端キャップを経由して後面に配置されたケーブルの外周まで伝達される。このため、補強部材の保持力は、通常ケーブル外被が固定される位置でケーブルの外側に伝達される。これにより、本発明に係る解決手段が、現場の取付けキットで広く使用されている標準的なケーブル押え（cable glands）にも適用することができる。
【００１３】
本発明に係る上述の解決手段は、本発明の以下の有利な実施形態のいずれか一つといかなる方法で組み合わせてもよく、このため、さらに改良することができる。
【００１４】
第１の可能な実施形態によれば、端キャップの前面に向かって、リードスルー開口は、半径方向に通路から離れる方向に沿って少なくとも部分的に延びるように、湾曲部を具備する。加えて又は代わりに、リードスルー開口は、前面に向かって漏斗状に広がってもよい。別の追加又は代わりの実施形態として、リードスルー開口の半径方向の幅は、前面に向かって増大してもよい。換言すると、前面におけるリードスルー開口の出口は、後面におけるリードスルー開口の入口よりも大きくてもよい。これらすべての実施形態は共通に、特に端キャップの前面の領域で少なくとも１本の線が自由に移動可能である。これにより、少なくとも１本の線が、補強部材から所定の距離で別々に取り扱われ配置されることができ、工具が補強部材に作動される際に少なくとも１本の線を損傷するリスクを低減する。
【００１５】
通路は、補強部材を通路内に挿入するために、挿入方向に沿ってリードスルー開口の後ろで終端してもよい。換言すると、通路は、少なくとも１本の線及び補強部材を端キャップ内に挿入するために、挿入方向に沿って前面でリードスルー開口を越えて延びてもよい。これにより、少なくとも１本の線は、補強部材が通路を出る領域の前に補強部材から離れる方向に折られ曲げられ、補強部材を取り扱うこと、及び通路から出る補強部材に工具を作動させることを容易にする。
【００１６】
端キャップの前端において、通路は、補強部材に圧着されたフェルールを少なくとも部分的に収容するよう構成された凹部内に導く。凹部は、端キャップでフェルールを支持するために基部を提供する。フェルールに作動させることにより、端キャップは、補強部材に容易に固定でき、ケーブルの端部及び補強部材間に押し挟まれる。或いは、任意の固定手段が、補強部材に付けられ、凹部内に収容されてもよい。固定手段は、補強部材に塗布される任意の接着剤、補強部材に形成された変形領域や、補強部材から端キャップ、特に前面まで保持力を伝達するために使用可能なナット、ボルト、ピン、割りピン等であってもよい。その結果、保持力は、端キャップによってケーブルの外周、すなわちケーブルのシースまで伝達することができる。
【００１７】
凹部は前面からはみ出てもよい。換言すると、凹部は前面上を張り出してもよい。これにより、通路は、リードスルー開口に対して挿入方向に容易に延びることができる。凹部は、その底の周囲を囲む周縁を具備してもよい。周縁は、例えば補強部材に付けられるフェルール等の固定部材の横方向の安定化に役立つ。さらに、挿入方向と平行に測った周縁の高さは、フェルールに形成された周縁すなわちカラーの厚さを超える。この結果、圧着工具又は圧着トング等の任意の工具は、フェルールのカラーを損傷することなく、凹部の周縁に当接する。これにより、工具は、フェルールのカラーの前面と容易に整列し、補強部材に圧着されるフェルールの筒状部に迅速かつ精確に作動することができる。
【００１８】
凹部は、半径方向に凹部から離れる方向に延びる少なくとも１個の連結部により支持されてもよい。連結部は凹部を横方向に支持する。連結部は凹部と一体化する。多数の凹部が半径方向に凹部から離れる方向に延びる。これにより、凹部は、安定化すると同時に、連結部の前面がガイドとして作用する点で保護される。工具は、凹部で通路を出る補強部材に圧着されるフェルールに作動する際に、そのガイドに沿って案内される。
【００１９】
端キャップの後面は、ケーブルの端部を取り囲むよう構成されたリセプタクルを具備してもよい。換言すると、ケーブルの端部はリセプタクル内に収容されてもよい。これにより、ケーブルの端部が、端キャップに保持され、端キャップの中心に配置され、有害な環境の影響及び捻じれからさらに保護される。
【００２０】
端キャップの縦方向に沿った突起内に、通路及びリセプタクルは、互いに対して同心円状に配置される。換言すると、通路及びリセプタクルの中心軸は、互いに重なるので、特にケーブルの中心軸に沿って延びる補強部材は、補強部材が挿入方向に沿って端部から突出しながら、凹部内にケーブルの端部を挿入する際に通路内に容易に挿入される。
【００２１】
リセプタクルは、ケーブルの外周を取り囲むよう構成されたブッシュを具備してもよい。ブッシュはリン青銅等の金属で形成されるので、ケーブルの端部を保護するために硬く凸凹である。リセプタクルは、ブッシュを保持し、ブッシュを少なくとも取り囲む。また、ブッシュは、例えば射出形成部品等のプラスチックで形成される端キャップと一体に形成されてもよい。
【００２２】
カラーは、後面の周囲を囲み、後面から突出してもよい。半径方向に凹部から離れる方向に延びる連結部は、カラーと一体になってもよい。これは、連結部を安定化させ、リードスルー開口の出口開口を保護し、補強部材、固定手段や補強部材に圧着されるフェルールに作用する工具を案内することにさらに役立つ。
【００２３】
カラーは、少なくとも１個のリードスルー開口の近傍に少なくとも１個の間隙を具備する。リードスルー開口は、間隙に向かって少なくとも部分的に延びるように湾曲する。これにより、少なくとも１個の線は、間隙を貫通し、補強部材に作動する工具又は線に圧着されるフェルールが間隙を取って案内される少なくとも１本の線を安全に越えて移動するように、湾曲し、曲げられる。
【００２４】
終端接続構造に関して、解決手段は、端キャップの前面を越えて延びる補強部材の外部にフェルールが圧着される点でさらに改良される。これにより、端キャップは、端キャップの後面のブッシュやケーブルと、端キャップの前面のフェルール等の固定手段との間で押し挟まれる。フェルールに形成された周縁又はカラーは、前面でフェルールや、フェルールの支持のために前面に設けられる凹部の底を支持するために、当接面を提供する。
【図面の簡単な説明】
【００２５】
【図１】本発明の一実施形態に係る終端接続構造の側面図である。
【図２】図１のＡ−Ａ線に沿った、図１の終端接続構造の断面図である。
【図３】終端接続構造の内部を示す、図２の３で示された部分の詳細図である。
【図４】本発明の一実施形態に係る端キャップを示す斜視図である。
【発明を実施するための形態】
【００２６】
以下、利点のある実施形態を示す添付図面を参照して、本発明を例示により詳細に説明する。説明される実施形態は可能性のある構成のみである。しかし、個々の特徴は、上述したように、互いに独立して実施可能であり、また、省略可能である。図面に示される対応する部材には同一の参照符号が付される。異なる図面における同一部材に関連する部品の説明は省略されている。
【００２７】
図１は、本発明の一実施形態に係る終端接続構造１の側面図である。終端接続構造１は、端キャップ１００と、伝送ケーブル３００を終端接続するためのエンクロージャ組立体２００とを具備する。さらに、終端接続構造１は、ケーブル３００の伝送線３０１を終端接続するためのコネクタ４００を具備してもよい。終端接続構造１は、端キャップ１００の縦軸Ｌ100、エンクロージャ２００の縦軸Ｌ200、ケーブル３００の縦軸Ｌ300及びケーブル３００の補強部材３０２の縦軸Ｌ302が互いに重なり、それにより終端接続構造１の共通の縦軸Ｌ1を構成するように配置される。
【００２８】
図２は、図１の断面線Ａ−Ａ線、すなわち終端接続構造１の縦軸Ｌ1に沿った終端接続構造１の断面図である。ケーブル３００は、エンクロージャ組立体２００を通過すると共に端キャップ１００内に挿入されるように、挿入方向Ｉに沿ってエンクロージャ組立体２００内に挿入される。線３０１は、挿入方向Ｉに沿って端キャップ１００のリードスルー開口１０１内に挿入される。ケーブル３００の補強部材３０２は、端キャップ１００の通路１０２内に挿入される。フェルール１５０は、挿入方向Ｉに通路１０２を越えて延びる補強部材３０２の一部に圧着される。
【００２９】
図２に示される終端接続構造１の仮組立状態Ｐにおいて、端キャップ１００は光ファイバケーブル３００に固定され、フェルール１５０は補強部材３０２の移動を防止し、これにより、挿入方向Ｉとは逆向きへのケーブル３００の移動を防止する。端キャップ１００は、後方すなわちエンクロージャ組立体２００に対して挿入方向Ｉとは逆向きに引っ張られるので、内部空間２０１の内周２０２により周囲が緊密に囲まれるようにするために、エンクロージャ組立体２００の内部空間２０１内に挿入される。次に、終端接続構造１は、端キャップ１００がエンクロージャ組立体２００内に保護された状態で保持される最終状態Ｑ（図示せず）にある。
【００３０】
図３は、ケーブル３００を収容する端キャップ１００の断面図（図２で３で示された部分の詳細図）である。ケーブル３００の端部３０３は、挿入方向Ｉに沿って端キャップ１００の後面１０４に当接するように、端キャップ１００のリセプタクル１０３内に保持される。後面１０４は、リセプタクル１０３の底により形成されてもよい。線３０１及び補強部材３０２は、端キャップ１００の後面１０４から前面１０５までリードスルー開口１０１及び通路１０２をそれぞれ貫通する。
【００３１】
凹部（socket）１０６は、端キャップ１００の前面１０５に形成され、挿入方向Ｉに沿って前面１０５上を張り出す補強部材３０２の自由端３０２ａを取り囲むフェルール１５０を少なくとも部分的に収容する。フェルール１５０は、自由端３０２ａに圧着される管状部１５１と、凹部１０６内にフェルール１５０を支持するための当接面１５３を形成するカラー１５２とを具備する。このため、端キャップ１００は、ケーブル端部３０３及びフェルール１５０間に押し挟まれる。
【００３２】
端部３０３は管状のブッシュ１３０内に保持され、ブッシュ１３０の内周１３１はケーブル３００の外周３０４を取り囲む。ブッシュ１３０の外周１３２は、リセプタクル１０３の内周１０７により取り囲まれる。ブッシュ１３０は、ケーブル３００に挿入する前にリセプタクル１０３内に圧入されてもよい。ブッシュ１３０はリセプタクル１０３の一部であってもよいし、端キャップ１００と一体に形成されてもよい。
【００３３】
ストレインリリーフを与えるための保持力の流れＦは、補強部材３０２の自由端３０２ａからフェルール１５０を経由し前面１０５や凹部１０６に延び、そこから端キャップ１００を通って半径方向外方にリセプタクル１０３まで延びる。力の流れＦは、ケーブル３００の端部３０３まで、特にケーブル３００の外周３０４まで伝達される。ブッシュ１３０が別体の部品として供給される場合、力の流れＦはリセプタクル１０３の内周１０７からブッシュ１３０の外周１３２まで伝達され、次にブッシュ１３０の内周１３１を介してケーブル３００の端部３０３の外周３０４まで伝達される。換言すると、保持力は、補強部材３０２からフェルール１５０、端キャップ１００及びブッシュ１３０を介してケーブル３００の外周３０４まで伝達される。ここで、外周３０４は、ケーブル３００のシースにより形成されてもよい。
【００３４】
さらに、リセプタクル１０３内にケーブル３００の端部３０３を封止し取り付けるために、ケーブル３００の外周３０４、ブッシュ１３０の外周１３２及び端キャップ１００の外周１０８、特にリセプタクル１０３の外周を収縮取付けチューブ２５０が囲んでもよい。端キャップ１００の外周１０８に沿った収縮取付けチューブ２５０の把持を強化するため、特に挿入方向Ｉとは逆向きの収縮取付けチューブ２５０の移動を防止するために、外周１０８は、その直径が減少して挿入方向Ｉとは逆向きに収縮取付けチューブ２５０が支持される縁が形成されるように、周囲段部１０９が設けられてもよい。
【００３５】
端キャップ１００及びエンクロージャ組立体２００の間、特に端キャップ１００の外周１０８及びエンクロージャ組立体２００の内周２０２の間を封止するために、Ｏリングの形態の封止部材１７０を設けてもよい。封止部材１７０は、端キャップ１００の外周１０８に沿って延びる周囲溝１１０内に載置されてもよい。
【００３６】
また、図３において、リードスルー開口１０１には湾曲部１１１が設けられ、この結果、リードスルー開口１０１が端キャップ１００の半径方向Ｒに通路１０２から離れる方向に部分的に延びることが明白になる。このため、挿入方向Ｉに沿って見た場合、後面１０４のリードスルー開口１０１は、最初に縦軸Ｌ100に沿って延びる通路１０２と平行に延びる。前面１０５に向かって、リードスルー開口１０１は通路１０２から離れる方向に湾曲する。
【００３７】
図４は、端キャップ１００の斜視図である。ここでは、凹部１０６が挿入方向Ｉに沿って前面１０５からはみ出すことが明白になる。凹部１０６の底１１２は、フェルール１５０、特にフェルール１５０のカラー１５２により提供される当接面１５３を支持するために形成される。周縁１１３は凹部１０６の周囲を囲む。周縁１１３における切欠き１１４、及び凹部１０６の底１１２の部分における切欠き１１４により、リードスルー開口１０１の壁の直線部１０１ａが縦軸Ｌ100とほぼ平行に延びることは、縁が障害となることなく、線３０１が挿入方向Ｉに沿ってリードスルー開口１０１を通って容易に押されることを可能にする。
【００３８】
さらに、３個の連結部１１５ａ，１１５ｂ，１１５ｃは半径方向に凹部１０６から離れるように延びるので、凹部１０６は連結部１１５ａ〜１１５ｃによって横方向に支持される。連結部１１５ａ〜１１５ｃは、前面１０５の周囲を囲むカラー１１６と一体化する。カラー１１６内の間隙１１７は、リードスルー開口１０１の近傍に設けられる。
【００３９】
上述の実施形態を変形することは本発明の概念内で可能である。終端接続構造１は、いかなる数の端キャップ１００、ブッシュ１３０、フェルール１５０、封止部材１７０、エンクロージャ組立体２００、収縮取付けチューブ２５０、ケーブル３００やコネクタ４００を具備してもよいし、特定用途のために要望通りに形成してもよい。
【００４０】
端キャップ１００は、線３０１及び補強部材３０２用のそれぞれの溝を形成する任意の数のリードスルー開口１０１及び通路１０２を具備し、要望通りに形成してもよい。後面１０４及び前面１０５は、要望通りに形成されてもよく、ブッシュ１３０、ケーブル３００の端部３０３及びフェルール１５０をそれぞれ支持し収容するために必要な任意の形態及び数のリセプタクル１０３及び凹部１０６を具備してもよい。リセプタクル１０３の内周１０７は、補完的にブッシュ１３０やケーブル３００を受容するために必要な構成にされてもよい。端キャップ１００の外周１０８は、封止部材１７０や収縮取付けチューブ２５０を積極的に嵌まる方法で取り付けるために必要な任意の形態及び数の段１０９及び溝１１０を具備してもよい。
【００４１】
リードスルー開口１０１は、線３０１の取扱いを容易にできるようにするために湾曲部１１１を具備してもよい。リードスルー開口１０１及び湾曲部１１１の形態は、補強部材３０２の自由端３０２ａの隣の線３０１のしっかりとした容易な取扱いを可能にするために選択され、切欠き１１４及び間隙１１７に合致してもよい。凹部１０６は、フェルール１５０の支持に必要な任意の形態及び数の底１１２、周縁１１３及び切欠き１１４を具備してもよい。
【００４２】
連結部１１５ａ〜１１５ｃは、必要な任意の形態及び数が設けられてもよいし、補強部材３０２の自由端３０２ａに作動される工具を案内すると共に凹部１０６やカラー１１６を安定化させるために、周縁１３０及びカラー１１６と一体化してもよい。従って、挿入方向Ｉに沿って面する周縁１１３、連結部１１５ａ〜１１５ｃやカラー１１６の表面は、一平面を画定するように互いに整列してもよい。この一平面に沿って、工具が補強部材３０２の自由端３０２ａやフェルール１５０に作動される際に工具が移動する。
【００４３】
ブッシュ１３０は、リセプタクル１０３内にブッシュ１３０を緊密に収容するために、外周１３２を提供するために、及びケーブル３００の外周３０４を緊密に取り囲むよう構成された内周１３１を提供するために必要に応じて形成されてもよい。ブッシュ１３０は、リセプタクル１０３と一体に形成されてもよいし、リセプタクル１０３に嵌められてもよい。フェルール１５０は、必要な形態の管状部１５１及びカラー１５２を具備してもよいし、端キャップ１００と一体に形成されたり、端キャップ１００に嵌められたりしてもよい。
【００４４】
エンクロージャ組立体２００は、少なくとも１本のケーブル３００、及び少なくとも１個の端キャップ１００を収容するために必要ないかなる形態及び形状の内部スペーサ２０１を具備してもよい。ケーブル３００は、補強部材３０２、及び所定用途に必要ないかなる形態及び数の線３０１を具備してもよい。ケーブル３００は、電力、及び例えばデジタルデータやアナログ信号等の情報を伝送するための任意の種類の伝送ケーブルであってもよい。このため、線３０１は、情報や電力を伝送するための任意の伝送線であってもよい。従って、線は、例えば銅等の金属製の編組線又は撚り線等の任意の種類の電気導体からなっていてもよい。また、線３０１は、光ファイバ又は光ファイバ束の形態の任意の伝送線であってもよい。
【符号の説明】
【００４５】
１００                        端キャップ
１０１                        リードスルー開口
１０２                        通路
１０３                        リセプタクル
１０４                        後面
１０５                        前面
１０６                        凹部
１１１                        湾曲部
１１５ａ，１１５ｂ，１１５ｃ  連結部
１１６                        カラー
１１７                        間隙
１３０                        ブッシュ
１５０                        フェルール
３００                        ケーブル
３０１                        伝送線
３０２                        補強部材
３０２ａ                      自由端（外部）
３０３                        端部
３０４                        外周
Ｌ100                      縦方向
【図１】
2014052628.tif 000003
【図２】
2014052628.tif 000004
【図３】
2014052628.tif 000005
【図４】
2014052628.tif 000006